(57)【要約】【課題】工期の増大を抑制しながら、壁下部分の見栄えが損なわれるのを抑制することができる建物ユニット及び建物を提供する。【解決手段】建物１０は建物ユニット２０を用いて構築され、コンクリートからなる土間床１１の上に設置されている。建物ユニット２０の側面部には内側壁面材４１が設けられ、その下方には土間床１１から上方に離間配置された見切り材５９が設けられている。建物ユニット２０の床大梁２３の溝部開放側には複数のブラケット４５が設けられ、それらブラケット４５には下側下地材４９が取り付けられている。下側下地材４９には、各ブラケット４５に対応させて複数の孔部５６が形成されている。これらの孔部５６は上下に長い長孔とされ、それら各孔部５９に挿通されたボルト５７を用いて下側下地材４９が各ブラケット４５に取り付けられている。下側下地材４９は、かかる取付状態で、見切り材５９と重なり合う重なり部６５を有している。【選択図】      図４
2017145656.tif 000002
【特許請求の範囲】
【請求項１】
柱及び梁を有してなる直方体状の枠体を有し、コンクリートからなる床部の上に設置される建物ユニットであって、
前記枠体の側面部に設けられた壁面材と、
その壁面材と前記床部との間を覆うための見切り材とを備え、
前記見切り材として、
前記壁面材の下端部に沿って延び、前記床部から上方に離間して配置される第１見切り材と、
前記第１見切り材に沿って延び、前記床部の床面と前記第１見切り材との間を覆う第２見切り材とを備え、
前記第２見切り材には、長手方向において互いに離間した位置に上下方向に延びる複数の長孔が形成されており、
前記枠体の側面部の下部に配置された下梁には前記各長孔に対応する位置に前記第２見切り材が取り付けられる取付部が設けられ、
前記第２見切り材は、前記各長孔に挿通された締結部材を用いて前記取付部に取り付けられ、その取付状態で前記第１見切り材の下端よりも上方に延び当該第１見切り材と重なり合う重なり部を有していることを特徴とする建物ユニット。
【請求項２】
前記枠体の内側には、床面が前記床部により形成されたユニット内空間が設けられ、
前記壁面材は、前記ユニット内空間に面して設けられた内側壁面材であり、
その内側壁面材と前記床面との間が前記第１見切り材及び前記第２見切り材によって覆われていることを特徴とする請求項１に記載の建物ユニット。
【請求項３】
前記重なり部は、前記第１見切り材の裏面に重ねられており、
その重なり部に前記第１見切り材が固定されていることを特徴とする請求項１又は２に記載の建物ユニット。
【請求項４】
前記第２見切り材は、
前記重なり部から前記第１見切り材とは反対側へ延びる横板部と、
その横板部の前記反対側の端部から上方へ延び、前記第１見切り材と対向する対向板部とを有し、
前記対向板部には前記各長孔が形成され、それら各長孔に挿通された締結部材を用いて前記対向板部が前記取付部に取り付けられていることを特徴とする請求項３に記載の建物ユニット。
【請求項５】
前記第２見切り材の上方には、当該第２見切り材に沿って延びる見切り下地材が設けられており、
前記取付部は第１取付部であり、
前記見切り下地材は、前記下梁に設けられた第２取付部に締結部材を用いて取り付けられており、
前記第１見切り材は、前記見切り下地材と前記重なり部とに跨がって上下に延びる平板状をなし、それら両者に対してそれぞれ固定されており、
前記第２見切り材を前記第１取付部に取り付ける締結部材と、前記見切り下地材を前記第２取付部に取り付ける締結部材とがそれぞれ前記第１見切り材の裏面側にて覆い隠されていることを特徴とする請求項４に記載の建物ユニット。
【請求項６】
前記壁面材の裏面側には、その壁面材を支持する矩形枠状の壁フレームが設けられ、
前記壁フレームは、前記見切り下地材の上方に載置され、その載置状態で当該見切り下地材に固定されていることを特徴とする請求項５に記載の建物ユニット。
【請求項７】
前記下梁は、上下方向に延びるウェブと、そのウェブの上下両端部に設けられた上フランジ及び下フランジとを有する溝形鋼からなり、それらウェブ及び各フランジにより囲まれた内側は溝部となっており、
前記下梁には、前記溝部の開放側に前記各フランジに跨がる状態でブラケットが固定され、
前記ブラケットは、前記下梁の長手方向に所定の間隔で複数配置され、それら各ブラケットがそれぞれ前記第１取付部及び前記第２取付部を構成していることを特徴とする請求項５又は６に記載の建物ユニット。
【請求項８】
建屋内における前記床部上に請求項１乃至７のいずれか一項に記載の建物ユニットが設置され、その建物ユニットを用いて構築されたことを特徴とする建物。
【発明の詳細な説明】
【技術分野】
【０００１】
本発明は、建物ユニット及びその建物ユニットを用いて構築された建物に関する。
【背景技術】
【０００２】
工場等の建屋内には、作業者が休憩や打ち合わせ等のために利用する詰所（ブース）が設けられている場合がある。こうした詰所は、建屋内においてパネルハウス等の簡易式の建物を組み立てることにより構築されることが多い。
【０００３】
ところで、従来より、住宅工法の一種として、予め製造工場にて製造された建物ユニットを現場で組み合わせることにより住宅を構築するユニット工法が知られている（例えば特許文献１参照）。そこで、このユニット工法で用いられる建物ユニットを利用して、上述した詰所を建屋内に構築することが考えられる。建屋内では、床部がコンクリートにより形成された土間床となっているため、この場合、その土間床上に建物ユニットを設置し、その設置した建物ユニットを用いて詰所（建物）を構築することとなる。
【０００４】
ここで、建物ユニットを用いて詰所を構築する場合、例えば建物ユニットに床面材を設けずに、土間床により詰所内の床面を形成することが考えられる。この場合、建物ユニットの側面部において詰所内に面して設けられる壁面材と土間床との間に長尺の見切り材を設け、その見切り材により壁面材と土間床との間を覆うことが考えられる。
【先行技術文献】
【特許文献】
【０００５】
【特許文献１】特開２００６−３７５４１号公報
【発明の概要】
【発明が解決しようとする課題】
【０００６】
ところで、建屋内の土間床は、床面の水平精度がそれほど求められていないため、床面に傾斜が生じている場合がある。また、土間床の床面に意図的に水勾配が設けられている場合もある。このような場合には、その傾斜した床面上にそのまま建物ユニットを設置すると、建物ユニットが傾斜状態で設置されることになるため、建物ユニットにおいて床面上に載置される各柱に対して、適宜、柱の下端と床面との間にスペーサを介在させる等して、建物ユニットを水平状態で設置する必要がある。
【０００７】
しかしながら、建物ユニットの側面部において壁面材と土間床との間を見切り材で覆う上述の構成では、建物ユニットを水平状態で設置した場合に、建物ユニットに取りつけられた見切り材の下端と土間床の傾斜床面との間に隙間が生じるおそれがある。そのため、その隙間により壁下部分の見栄えが損なわれるおそれがある。
【０００８】
そこで、かかる隙間が生じないようにするため、現場で見切り材の下端側を削る等の加工をして、見切り材の下端を床面の傾斜に沿わせることが考えられる。ただ、そのような加工作業は手間がかかり、工期の増大を招くおそれがある。
【０００９】
本発明は、上記事情に鑑みてなされたものであり、工期の増大を抑制しながら、壁下部分の見栄えが損なわれるのを抑制することができる建物ユニット及び建物を提供することを主たる目的とするものである。
【課題を解決するための手段】
【００１０】
上記課題を解決すべく、第１の発明の建物ユニットは、柱及び梁を有してなる直方体状の枠体を有し、コンクリートからなる床部の上に設置される建物ユニットであって、前記枠体の側面部に設けられた壁面材と、その壁面材と前記床部との間を覆うための見切り材とを備え、前記見切り材として、前記壁面材の下端部に沿って延び、前記床部から上方に離間して配置される第１見切り材と、前記第１見切り材に沿って延び、前記床部の床面と前記第１見切り材との間を覆う第２見切り材とを備え、前記第２見切り材には、長手方向において互いに離間した位置に上下方向に延びる複数の長孔が形成されており、前記枠体の側面部の下部に配置された下梁には前記各長孔に対応する位置に前記第２見切り材が取り付けられる取付部が設けられ、前記第２見切り材は、前記各長孔に挿通された締結部材を用いて前記取付部に取り付けられ、その取付状態で前記第１見切り材の下端よりも上方に延び当該第１見切り材と重なり合う重なり部を有していることを特徴とする。
【００１１】
本発明によれば、壁面材と床部との間を覆うための見切り材として、床部から上方に離間して配置された第１見切り材と、その第１見切り材と床部との間を覆う第２見切り材とが設けられている。第２見切り材には、長手方向において互いに離間した位置に上下に延びる複数の長孔が形成され、それら各長孔に挿通された締結部材を用いて第２見切り材が下梁に設けられた取付部に取り付けられている。この場合、各長孔が形成されている範囲内で、第２見切り材を水平方向に対して若干斜めに傾ける等、第２見切り材の取付角度（傾き）を微調整することができる。そのため、床部の床面に傾斜が生じている場合には、かかる取付角度の微調整により、床面の傾斜に第２見切り材の下端を沿わせて当該第２見切り材を取り付けることができる。また、第２見切り材は、かかる取付状態で第１見切り材と重なる重なり部を有しているため、この場合、これら第１見切り材及び第２見切り材により壁面材と床部との間を覆うことができる。これにより、床部の床面が傾斜している場合にも、壁下部分の見栄えが損なわれるのを抑制することができる。
【００１２】
また、第２見切り材の取付角度を微調整することで、第２見切り材の下端を床面の傾斜に沿わせるようにしているため、床面の傾斜に応じて見切り材の下端側を削るといった加工作業を現場で行わなくても済む。これにより、工期の増大を抑制しながら、壁下部分の見栄えが損なわれるのを抑制することができる。
【００１３】
第２の発明の建物ユニットは、第１の発明において、前記枠体の内側には、床面が前記床部により形成されたユニット内空間が設けられ、前記壁面材は、前記ユニット内空間に面して設けられた内側壁面材であり、その内側壁面材と前記床面との間が前記第１見切り材及び前記第２見切り材によって覆われていることを特徴とする。
【００１４】
本発明によれば、ユニット内空間の床面がコンクリートからなる床部により形成されており、そのユニット内空間に面して設けられた内側壁面材とユニット内空間（換言すると床部）の床面との間が第１見切り材及び第２見切り材により覆われている。この場合、ユニット内空間において壁下部分の見栄えが損なわれるのを抑制することができる。
【００１５】
第３の発明の建物ユニットは、第１又は第２の発明において、前記重なり部は、前記第１見切り材の裏面に重ねられており、その重なり部に前記第１見切り材が固定されていることを特徴とする。
【００１６】
本発明によれば、第１見切り材の裏面に第２見切り材の重なり部が重ねられ、その重なり部に第１見切り材が固定されている。この場合、第２見切り材を第１見切り材の下地として用いることができる。
【００１７】
第４の発明の建物ユニットは、第３の発明において、前記第２見切り材は、前記重なり部から前記第１見切り材とは反対側へ延びる横板部と、その横板部の前記反対側の端部から上方へ延び、前記第１見切り材と対向する対向板部とを有し、前記対向板部には前記各長孔が形成され、それら各長孔に挿通された締結部材を用いて前記対向板部が前記取付部に取り付けられていることを特徴とする。
【００１８】
本発明によれば、第２見切り材において第１見切り材と対向する対向板部に長孔が形成され、その長孔に挿通された締結部材により対向板部が取付部に取り付けられている。この場合、第１見切り材の裏面側で締結部材が覆い隠されるため、締結部材が露出して見栄えが損なわれるのを防止することができる。
【００１９】
第５の発明の建物ユニットは、第４の発明において、前記第２見切り材の上方には、当該第２見切り材に沿って延びる見切り下地材が設けられており、前記取付部は第１取付部であり、前記見切り下地材は、前記下梁に設けられた第２取付部に締結部材を用いて取り付けられており、前記第１見切り材は、前記見切り下地材と前記重なり部とに跨がって上下に延びる平板状をなし、それら両者に対してそれぞれ固定されており、前記第２見切り材を前記第１取付部に取り付ける締結部材と、前記見切り下地材を前記第２取付部に取り付ける締結部材とがそれぞれ前記第１見切り材の裏面側にて覆い隠されていることを特徴とする。
【００２０】
本発明によれば、第２見切り材の上方に設けられた見切り下地材が下梁に設けられた第２取付部に締結部材を用いて取り付けられている。そして、その見切り下地材と第２見切り材の重なり部とに跨がって第１見切り材が設けられ、その第１見切り材が見切り下地材と重なり部とにそれぞれ固定されている。このような構成にあって、見切り下地材及び第２見切り材を取付部に取り付ける締結部材はいずれも第１見切り材の裏面側にて覆い隠されているため、それら各締結部材の露出により見栄えが損なわれるのを防止することができる。
【００２１】
第６の発明の建物ユニットは、第５の発明において、前記壁面材の裏面側には、その壁面材を支持する矩形枠状の壁フレームが設けられ、前記壁フレームは、前記見切り下地材の上方に載置され、その載置状態で当該見切り下地材に固定されていることを特徴とする。
【００２２】
本発明によれば、壁面材の下地となる壁フレームが見切り下地材の上方に載置され当該見切り下地材に固定されているため、見切り下地材を第１見切り材の下地としてだけでなく、壁フレームの固定下地としても利用することができる。
【００２３】
第７の発明の建物ユニットは、第５又は第６の発明において、前記下梁は、上下方向に延びるウェブと、そのウェブの上下両端部に設けられた上フランジ及び下フランジとを有する溝形鋼からなり、それらウェブ及び各フランジにより囲まれた内側は溝部となっており、前記下梁には、前記溝部の開放側に前記各フランジに跨がる状態でブラケットが固定され、前記ブラケットは、前記下梁の長手方向に所定の間隔で複数配置され、それら各ブラケットがそれぞれ前記第１取付部及び前記第２取付部を構成していることを特徴とする。
【００２４】
本発明によれば、溝形鋼からなる下梁の溝部開放側にブラケットが固定され、そのブラケットが下梁の長手方向に所定の間隔で複数配置されている。そして、それらブラケットに対して第２見切り材と見切り下地材とが共通に取り付けられている。この場合、下梁の溝部開放側にこれら両部材を設ける上で、構成の簡素化を図ることができる。
【００２５】
第８の発明の建物は、建屋内における前記床部上に第１乃至第７のいずれかの発明の建物ユニットが設置され、その建物ユニットを用いて構築されたことを特徴とする。
【００２６】
本発明によれば、第１乃至第７の発明と同様の効果を建物として享受することができる。
【図面の簡単な説明】
【００２７】
【図１】工場建屋内に設けられた建物を示す正面図。
【図２】建物の床部を示す平面図。
【図３】建物ユニットを示す斜視図。
【図４】建物の外周部における下端側の構成を示す縦断面図。
【図５】建物の外周部の下端側について見切り構造を構成する各部材を分解した状態で示す縦断面図。
【図６】見切り構造を構成する各部材を分解した状態で示す斜視図。
【発明を実施するための形態】
【００２８】
以下に、本発明を具体化した一実施の形態について図面を参照しつつ説明する。本実施形態では、工場建屋の内部に設けられた作業員の詰所（ブース）が建物ユニットを用いて構築されたユニット式建物により形成されている。以下においてはまず、その建物の概要について図１〜図３を用いながら説明する。図１は、工場建屋内に設けられた建物を示す正面図である。図２は、建物の床部を示す平面図である。図３は、建物ユニットを示す斜視図である。
【００２９】
図１に示すように、工場建屋の内部には建屋内空間Ｋが形成され、その建屋内空間Ｋにはコンクリートからなる土間床１１が設けられている。土間床１１上には作業員の詰所として用いられる建物１０が構築されている。建物１０は平屋建てとされ、その建物１０内において現場の作業者が休憩や打ち合わせ等をすることが可能となっている。なお、土間床１１が床部に相当する。
【００３０】
建物１０は、土間床１１上に並べて設けられた複数の建物ユニット２０により構成されている。建物ユニット２０は、図３に示すように、その四隅に配設される４本の柱２１と、各柱２１の上端部及び下端部をそれぞれ連結する各４本の天井大梁２２及び床大梁２３とを備える。そして、それら柱２１、天井大梁２２及び床大梁２３により直方体状の骨格（フレーム）が形成されている。なお、この骨格が「枠体」に相当する。柱２１は四角筒状の角形鋼よりなる。天井大梁２２及び床大梁２３は断面コ字状の溝形鋼よりなり、その開口部を水平方向の内側（ユニット内側）に向けて配置されている。
【００３１】
建物ユニット２０の長辺部の相対する天井大梁２２の間には、所定間隔で複数の天井小梁２５が架け渡されている。各天井小梁２５はリップ溝形鋼よりなり、これら天井小梁２５により天井材（図示略）が支持されている。一方、建物ユニット２０の長辺部の相対する床大梁２３の間には床小梁が架け渡されていない。そのため、建物ユニット２０の床側には床面材が設けられておらず、それにより、各床大梁２３により囲まれた床開口部２８が形成されている。
【００３２】
図１及び図２に示すように、上記の建物ユニット２０は、土間床１１上において（平面視）短手方向に並べて複数（具体的には３つ）配設されている。そして、それら配設された各建物ユニット２０が互いに連結されることで建物１０が構築されている。各建物ユニット２０は、土間床１１上に支持部材１２を介して設置されている。支持部材１２は鋼製であり、建物ユニット２０の各柱２１ごとに設けられている。各支持部材１２は土間床１１上に載置され、アンカーボルト１７により土間床１１に固定されている（図４参照）。建物ユニット２０は、それら支持部材１２上に各柱２１が載置されることにより設置され、その設置状態で柱２１の下端部（詳しくは柱脚プレート）が支持部材１２上にボルト１８で固定されている。
【００３３】
建物１０には、その内部に詰所として利用される部屋１５が設けられている。部屋１５は、各建物ユニット２０の内部空間（ユニット内空間）を用いて形成され、その床面１５ａが土間床１１により形成されている。すなわち、部屋１５の床面１５ａは土間床１１の床面１１ａの一部により形成されている。
【００３４】
具体的には、隣り合う建物ユニット２０が互いに隣接する隣接部（ユニット隣接部）では、各建物ユニット２０の床大梁２３Ａ（図２の二点鎖線参照）がそれぞれ除去されており、それにより建物１０の外周部にのみ各建物ユニット２０の床大梁２３が配設された状態となっている。この場合、それら建物外周部の床大梁２３により囲まれた内側を通じて土間床１１上に部屋１５が形成されている。
【００３５】
なお、ユニット隣接部から除去される床大梁２３Ａは、建物ユニット２０の搬送時及び据付時においては建物ユニット２０に取り付けられている一方、建物ユニット２０が土間床１１上に据え付けられた後は、建物ユニット２０から取り外されるものとなっている。つまり、これらの床大梁２３Ａは建物ユニット２０の搬送時及び据付時においてのみ、建物ユニット２０に仮固定される仮梁となっており、この仮梁により建物ユニット２０の搬送時又は据付時に建物ユニット２０が変形することが防止されている。
【００３６】
また、図示は省略するが、部屋１５には机や椅子、収納棚等が設置されている。また、本実施形態では、部屋１５が間仕切壁により仕切られておらず、１つの部屋として形成されている。但し、部屋１５に間仕切壁を設け、その間仕切壁により部屋１５を複数の部屋に仕切るようにしてもよい。
【００３７】
次に、建物１０の外周部の構成について説明する。図４は、建物１０の外周部における下端側の構成を示す縦断面図である。
【００３８】
図４に示すように、建物１０の外周部には、部屋１５の内外を仕切る仕切壁部３０が設けられている。仕切壁部３０は、建物ユニット２０の側面部に設けられ、そのユニット外側（建屋内空間Ｋ側）に外側壁パネル３１を有し、そのユニット内側（部屋１５側）に内側壁パネル３２を有している。
【００３９】
外側壁パネル３１は、建屋内空間Ｋに面して設けられた外側壁面材３３と、その外側壁面材３３の裏面側に固定された外側壁フレーム３４とを備える。外側壁面材３３は、例えばパーティクルボードを含んで構成されている。外側壁フレーム３４は、断面コ字状の軽量鉄骨材からなる複数のフレーム材３４ａを有し、それらフレーム材３４ａが矩形枠状に連結されることにより構成されている。
【００４０】
外側壁フレーム３４の各フレーム材３４ａのうち、フレーム下端に配された横フレーム材３４ａ（以下、これを横フレーム材３５という）は外側壁面材３３の幅方向に延びており、その溝部を下方に向けた状態で配設されている。横フレーム材３５において溝部を挟んで対向する各対向板部３５ａ，３５ｂのうちユニット内側の対向板部３５ａは床大梁２３のウェブ２３ａにボルト３７及びナット３８を用いて固定されている。一方、ユニット外側の対向板部３５ｂには、そのユニット外側の面に外側壁面材３３が固定されている。
【００４１】
ユニット外側の対向板部３５ｂは、その一部が外側壁面材３３よりも下方に延出しており、その延出した延出部３５ｃには外側見切り材３９が取り付けられている。外側見切り材３９は、外側壁面材３３の幅方向に延びる長尺状に形成され、外側壁面材３３の下端部と土間床１１の床面１１ａとの間に配設されている。外側見切り材３９は、これら両者３３，１１ａ間において上下に延びており、その上端部が延出部３５ｃにビス等で固定され、その下端部と床面１１ａと間には若干の隙間が形成されている。この場合、この外側見切り材３９により、外側壁面材３３と土間床１１（床面１１ａ）との間が覆われた状態となっている。
【００４２】
内側壁パネル３２は、部屋１５に面して設けられた内側壁面材４１と、その内側壁面材４１の裏面側に固定された内側壁フレーム４２とを備える。内側壁面材４１は、例えばパーティクルボードを含んで構成されている。内側壁フレーム４２は、木製の角材からなる複数のフレーム材４２ａ，４２ｂを有し、それらフレーム材４２ａ，４２ｂが矩形枠状に連結されることにより構成されている。なお、内側壁面材４１が壁面材に相当し、内側壁フレーム４２が壁フレームに相当する。
【００４３】
内側壁フレーム４２は、フレーム材４２ａ，４２ｂとして、上下方向に延びる一対の縦フレーム材４２ａと、それら各縦フレーム材４２ａを連結する上下複数の横フレーム材４２ｂとを有している。各横フレーム材４２ｂのうち、フレーム４２下端に配置された横フレーム材４２ｂはその下端面が内側壁面材４１の下端面と同じ高さ位置に設定されている。また、内側壁フレーム４２（ひいては内側壁パネル３２）は、床大梁２３の上方に配置されており、その配置状態にて一部が床大梁２３よりも部屋１５側に張り出している。
【００４４】
内側壁パネル３２（内側壁面材４１）と土間床１１との間には、それら両者１１ａ，３２間を覆うための見切り構造が設けられている。本実施形態では、かかる見切り構造に特徴を有しており、以下においては、かかる見切り構造について図４に加え図５及び図６を参照しながら説明する。図５は、建物１０の外周部の下端側について見切り構造を構成する各部材を分解した状態で示す縦断面図である。図６は、見切り構造を構成する各部材を分解した状態で示す斜視図である。
【００４５】
図４〜図６に示すように、床大梁２３は、上述したように溝形鋼からなり、上下に延びるウェブ２３ａと、そのウェブ２３ａの上下両端部からそれぞれ部屋１５側に延びる一対のフランジ２３ｂ，２３ｃとを有する。床大梁２３においてウェブ２３ａ及び各フランジ２３ｂ，２３ｃにより囲まれた内側は溝部２３ｄとなっており、その溝部２３ｄを部屋１５側に向けた状態で床大梁２３が配設されている。なお、床大梁２３が下梁に相当する。
【００４６】
床大梁２３には、その溝部２３ｄの開放側にブラケット４５が設けられている。ブラケット４５は、コ字状断面を有する短尺状の鋼板からなり、床大梁２３の長手方向に沿って所定の間隔で複数配置されている。ブラケット４５は、上下に延びるウェブ４５ａと、そのウェブ４５ａの上下両端部に設けられた一対のフランジ４５ｂ，４５ｃとを有する。各ブラケット４５は、その溝部を床大梁２３の溝部２３ｄと向き合わせた状態で配置され、その上フランジ４５ｂが床大梁２３の上フランジ２３ｂの下面に固定され、その下フランジ４５ｃが床大梁２３の下フランジ２３ｃの上面に固定されている。
【００４７】
各ブラケット４５のウェブ４５ａは、床大梁２３の溝部２３ｄの外側に配置され、その外側面（部屋１５側の板面）がいずれも同一平面上に位置している。ウェブ４５ａには、上下に所定の間隔をおいて一対の孔部４６が形成されている。また、ウェブ４５ａには、その内側面（反部屋１５側の板面）に各孔部４６に対応させて一対のナット４７が溶接固定されている。なお、各ブラケット４５がそれぞれ取付部、第１取付部及び第２取付部に相当する。
【００４８】
各ブラケット４５には、そのウェブ４５ａの外側面に床大梁２３の長手方向に延びる一対の下地材４８，４９が取り付けられている。これらの下地材４８，４９は、上下方向に所定の間隔をおいて配置され、上側の下地材が上側下地材４８、下側の下地材が下側下地材４９となっている。なお、上側下地材４８が見切り下地材に相当し、下側下地材４９が第２見切り材に相当する。
【００４９】
上側下地材４８は、長尺状の鋼板により折り曲げ形成され、各ブラケット４５のウェブ４５ａの外側面に取り付けられた取付板部４８ａと、取付板部４８ａの上端部から部屋１５側に延びる横板部４８ｂと、横板部４８ｂの部屋１５側の端部から下方に延びる垂下板部４８ｃとを有している。取付板部４８ａには、各ブラケット４５（ウェブ４５ａ）の上側の孔部４６に対応して複数の孔部５１が形成されている。これら各孔部５１には部屋１５側（ユニット内空間側）から締結部材としてのボルト５２が挿通され、それらのボルト５２はそれぞれ各ブラケット４５の孔部４６を介してナット４７に締結されている。これにより、取付板部４８ａひいては上側下地材４８が各ブラケット４５に取り付けられている。
【００５０】
横板部４８ｂは、その上面が床大梁２３（詳しくは上フランジ２３ｂ）の上面と同じ高さ位置に設定されている。横板部４８ｂの上面と床大梁２３の上面とには内側壁パネル３２の下端部が載置されている。この場合、内側壁パネル３２の内側壁フレーム４２においてフレーム下端に配置された横フレーム材４２ｂが横板部４８ｂの上面と床大梁２３の上面とに跨がって載置され、その載置状態で横フレーム材４２ｂが横板部４８ｂにビス５４により固定されている。なお、この場合、ビス５４は横板部４８ｂを介して横フレーム材４２ｂにねじ込まれている。但し、ビス５４に代えて、釘等の固定具を用いて横フレーム材４２ｂを横板部４８ｂに固定してもよい。
【００５１】
垂下板部４８ｃは、その下端がボルト５２よりも高い位置に設定されている。これにより、部屋１５側からボルト５２の締結作業がし易くなっている。
【００５２】
下側下地材４９は、長尺状の鋼板により折り曲げ形成され、各ブラケット４５のウェブ４５ａの外側面に取り付けられた取付板部４９ａと、取付板部４９ａの下端部から部屋１５側に延びる横板部４９ｂと、横板部４９ｂの部屋１５側の端部から下方に延びる縦板部４９ｃと、縦板部４９ｃの下端部から反部屋１５側に延びて床面１１ａに当接される床当接板部４９ｄとを有している。なお、取付板部４９ａが対向板部に相当する。
【００５３】
取付板部４９ａには、各ブラケット４５（ウェブ４５ａ）の下側の孔部４６に対応して複数の孔部５６が形成されている。これら各孔部５６は、上下方向に長い長孔とされている。各孔部５６には部屋１５側（ユニット内空間側）から締結部材としてのボルト５７が挿通されており、それら各ボルト５７はそれぞれ各ブラケット４５の孔部４６を介してナット４７に締結されている。これにより、取付板部４９ａひいては下側下地材４９が各ブラケット４５に取り付けられている。
【００５４】
縦板部４９ｃは、その表面（部屋１５側の面）が上側下地材４８の垂下板部４８ｃの表面と同一平面上に位置している。これら各板部４８ｃ、４９ｃには、それら両板部４８ｃ、４９ｃの表面に跨る状態で見切り材５９が設けられている。見切り材５９は、各下地材４８，４９の長手方向に延びる長尺平板状の鋼板からなる。見切り材５９は、上下方向に延び、その上端側が垂下板部４８ｃの表面にビス６１により取り付けられ、その下端側が縦板部４９ｃの表面にビス６２により取り付けられている。これらのビス６１，６２は見切り材５９の長手方向に所定の間隔で複数設けられ、それら複数のビス６１、６２により見切り材５９が各板部４８ｃ，４９ｃに取り付けられている。なお、見切り材５９には、これらのビス６１，６２が挿通される複数の孔部６３が形成されている。また、見切り材５９が第１見切り材に相当する。
【００５５】
見切り材５９は、その上端部が内側壁面材４１の下端面に当接しており、その下端部が床大梁２３（詳しくは下フランジ２３ｃ）の下面よりも低い位置にある。この場合、見切り材５９により、床大梁２３の高さ方向全域が部屋１５側から覆い隠された状態となっている。また、見切り材５９において部屋１５に面した表面（仕上げ面）は内側壁面材４１の表面（仕上げ面）と面一とされている。
【００５６】
見切り材５９は、その下端部が土間床１１よりも上方に設定されている。この場合、見切り材５９の裏面に重ねられた下側下地材４９の縦板部４９ｃが見切り材５９の下端部よりも下方に延びて部屋１５に露出しており、その露出した縦板部４９ｃによって見切り材５９と土間床１１との間が覆われた状態となっている。したがって、土間床１１と内側壁面材４１との間は見切り材５９と縦板部４９ｃとにより覆われた状態となっている。
【００５７】
なお、縦板部４９ｃにおいて見切り材５９の裏面に重ねられた部分が重なり部６５であり、その重なり部６５よりも下方の部分が土間床１１と見切り材５９との間を覆う覆い部６６となっている。そして、重なり部６５に見切り材５９がビス６２により固定されている。
【００５８】
次に、上述した建物１０を建屋内に構築する際の作業手順について説明する。
【００５９】
まず、ユニット製造工場において、建物１０を構成する各建物ユニット２０を製造する。建物ユニット２０の製造に際しては、建物ユニット２０の側面部に外側壁パネル３１と内側壁パネル３２とを取り付けて仕切壁部３０を形成する（図４及び図５参照）。この際、内側壁パネル３２については、まず床大梁２３に設けられた各ブラケット４５に上側下地材４８をボルト５２を用いて取り付け、その後、その上側下地材４８の上に内側壁パネル３２を載置しその載置状態で同パネル３２の内側壁フレーム４２（詳しくはフレーム下端の横フレーム材４２ｂ）をビス５４により上側下地材４８に固定する。
【００６０】
各建物ユニット２０を製造した後、それら各建物ユニット２０をトラック等により建屋の付近まで搬送する。そして、それら搬送された各建物ユニット２０を建屋内における所定の設置箇所まで専用の搬送台車を用いて搬送する。
【００６１】
次に、各建物ユニット２０を建屋内の土間床１１上に設置する作業を行う。土間床１１の床面１１ａには水勾配等の傾斜が生じている場合があり、ここでは、その傾斜した床面１１ａ上に各建物ユニット２０を設置することを想定している。建物ユニット２０を土間床１１上に設置するに際しては、まず土間床１１上に建物ユニット２０の各柱２１が設置される支持部材１２を配設し、それら支持部材１２を土間床１１上にアンカーボルト１７を用いて固定する（図１参照）。この場合、各柱２１ごとに設置される複数の支持部材１２のうち、傾斜した床面１１ａ上において低位に配置される支持部材１２についてはその支持部材１２と床面１１ａとの間に適宜スペーサを介在させる等して、各支持部材１２の上面を同じ高さ位置に設定する。
【００６２】
続いて、各支持部材１２の上面に建物ユニット２０の各柱２１を載置することで、当該建物ユニット２０を設置する。この場合、傾斜した床面１１ａ上に建物ユニット２０が水平状態で（傾くことなく）設置される。各建物ユニット２０を設置後、それら各建物ユニット２０からそれぞれ床大梁２３Ａを取り外す（図２参照）。
【００６３】
次に、内側壁パネル３２の下方にて各ブラケット４５に下側下地材４９を取り付ける作業を行う（図４〜図６参照）。この作業では、下側下地材４９の下端となる床当接板部４９ｄを床面１１ａの傾斜に沿わせて配置し、その床当接板部４９ｄの長手方向全域を床面１１ａに当接させる。そして、かかる下側下地材４９の配置状態で、下側下地材４９をボルト５７を用いて各ブラケット４５に取り付ける。この場合、下側下地材４９は床面１１ａの傾斜に沿って配設される。
【００６４】
この点について、より詳しくは、ボルト５７が挿通される各孔部５６は上下に長い長孔とされているため、この場合、その孔部５６（長孔）が形成されている範囲内で、下側下地材４９を水平方向に対して若干斜めに傾ける等、下側下地材４９の取付角度を微調整することが可能となっている。そのため、その取付角度の微調整により、下側下地材４９の下端（床当接板部４９ｄ）を床面１１ａの傾斜に沿わせた状態で下側下地材４９を取り付けることが可能となっている。
【００６５】
次に、上側下地材４８及び下側下地材４９に見切り材５９をビス６１，６２により取り付ける作業を行う。これにより、内側壁パネル３２（内側壁面材４１）と土間床１１との間が見切り材５９と下側下地材４９（詳しくは覆い部６６）とにより覆われた状態となる。
【００６６】
以上をもって、建屋内に建物１０が構築される。
【００６７】
ところで、建屋内に詰所として構築される上記の建物１０は、建屋内にて設備の移動があった際等に、それに伴い移設される場合が考えられる。この場合、各建物ユニット２０を移設先へと搬送し設置することで、建物１０を再構築することとなる。そこで、以下においては、建物１０を移設する場合の作業の流れについて簡単に説明する。
【００６８】
移設に際してはまず、見切り材５９を各下地材４８，４９から取り外すとともに、下側下地材４９を各ブラケット４５から取り外す作業を行う。その後、各建物ユニット２０を移設先へ搬送台車を用いて搬送し、その移設先の土間床１１上に支持部材１２を介して設置する。この設置に際しても、床面１１ａの傾斜にかかわらず建物ユニット２０を水平状態で設置する。建物ユニット２０の設置後、下側下地材４９を、その下端部を床面１１ａの傾斜に沿わせた状態で各ブラケット４５に取り付け、それから、見切り材５９を各下地材４８，４９に取り付ける。これにより、移設先においても、見切り材５９と下側下地材４９とを流用して、内側壁面材４１と土間床１１との間を覆うことができる。
【００６９】
以上、詳述した本実施形態の構成によれば、以下の優れた効果が得られる。
【００７０】
上述したように、下側下地材４９に形成されたボルト５７挿通用の孔部５６が長孔とされているため、土間床１１の床面１１ａが傾斜している場合でも、その傾斜した床面１１ａに下側下地材４９の下端を沿わせた状態で当該下側下地材４９を取り付けることができる。また、かかる取付状態で、下側下地材４９は見切り材５９の下端よりも上方に延び見切り材５９の裏面に重なる重なり部６５を有しているため、この場合、これら見切り材５９及び下側下地材４９により内側壁面材４１と土間床１１との間を覆うことができる。これにより、土間床１１の床面１１ａが傾斜している場合にも、壁下部分の見栄えが損なわれるのを抑制することができる。
【００７１】
また、下側下地材４９の取付角度を微調整することで、下側下地材４９の下端を床面１１ａの傾斜に沿わせるようにしているため、床面１１ａの傾斜に応じて見切り材の下端側を削るといった加工作業を現場で行わなくても済む。これにより、工期の増大を抑制しながら、壁下部分の見栄えが損なわれるのを抑制することができる。
【００７２】
また、上記の見切り構造によれば、建屋内にて建物１０を移設する際にも、移設先の床面１１ａ傾斜に応じて下側下地材４９を取り付けることができる。そのため、建物１０の新設時だけでなく移設時においても、工期の増大を抑制しながら、壁下部分の見栄えが損なわれるのを抑制することができる。
【００７３】
建物１０内の部屋１５（換言すると建物ユニット２０内のユニット内空間）は、その床面１５ａが土間床１１により形成され、その部屋１５に面して設けられた内側壁面材４１と土間床１１（床面１５ａ）との間が見切り材５９及び下側下地材４９により覆われている。この場合、建物１０内の部屋１５において壁下部分の見栄えが損なわれるのを抑制することができる。
【００７４】
また、各種設備や機器類等が設置されている建屋（工場建屋）内に構築された上記の建物１０では、外部からの見栄えはそれ程求められることがないと考えられるのに対し、建物１０内においては一定の見栄えが求められると考えられる。このため、その点を鑑みても、建物１０内における壁下部分の見栄えを良好としたことの意義は大きい。
【００７５】
見切り材５９の裏面に下側下地材４９の重なり部６５が重ねられ、その重なり部６５に見切り材５９が固定されている。この場合、見切り材５９（第１見切り材）とともに部屋１５に面して配置され見切り材（第２見切り材）として機能する下側下地材４９を見切り材５９の下地として用いることができる。
【００７６】
下側下地材４９は、重なり部６５から見切り材５９とは反対側（部屋１５とは反対側）に延びる横板部４９ｂと、横板部４９ｂの当該反対側の端部から上方に延び見切り材５９と対向する取付板部４９ａとを有している。取付板部４９ａには長孔からなる孔部５６が形成され、その孔部５６に挿通されたボルト５７により取付板部４９ａが各ブラケット４５に取り付けられている。この場合、見切り材５９の裏面側でボルト５７が覆い隠されるため、ボルト５７が露出して見栄えが損なわれるのを防止することができる。
【００７７】
下側下地材４９の上方に設けられた上側下地材４８が各ブラケット４５にボルト５２を用いて取り付けられている。そして、その上側下地材４８と下側下地材４９の重なり部６５とに跨がって見切り材５９が設けられ、その見切り材５９が上側下地材４８と重なり部６５とにそれぞれ固定されている。このような構成にあって、各下地材４８，４９をブラケット４５に取り付けるボルト５２，５７はいずれも見切り材５９の裏面側で覆い隠されているため、それら各ボルト５２，５７の露出により見栄えが損なわれるのを防止することができる。
【００７８】
内側壁面材４１の下地となる内側壁フレーム４２が上側下地材４８の上方に載置され、当該上側下地材４８に固定されているため、上側下地材４８を見切り材５９の下地としてだけでなく、内側壁フレーム４２の固定下地としても利用することができる。
【００７９】
溝形鋼からなる床大梁２３の溝部開放側にブラケット４５が固定され、そのブラケット４５が床大梁２３の長手方向に所定の間隔で複数配置されている。そして、それらブラケット４５に対して上側下地材４８と下側下地材４９とがボルト５２，５７を用いて共通に取り付けられている。この場合、床大梁２３の溝部開放側にこれら両下地材４８，４９を設ける上で、構成の簡素化を図ることができる。
【００８０】
本発明は上記実施形態に限らず、例えば次のように実施されてもよい。
【００８１】
・上記実施形態では、床大梁２３に設けた各ブラケット４５（第１取付部及び第２取付部に相当）に上側下地材４８及び下側下地材４９を共通に取り付けたが、これを変更して、上側下地材４８を取り付ける取付部（第２取付部）と、下側下地材４９を取り付ける取付部（第１取付部）とを個別に設けてもよい。例えば、床大梁２３の上フランジ２３ｂに、上側下地材４８に沿って延びる上側長尺材を固定し、床大梁２３の下フランジ２３ｃに下側下地材４９に沿って延びる下側長尺材を固定する。そして、上側長尺材に上側下地材４８を取り付け、下側長尺材に下側下地材４９を取り付けることが考えられる。この場合、上側長尺材が第２取付部に相当し、下側長尺材が第１取付部に相当する。
【００８２】
・また、上側長尺材と下側長尺材とを設ける上記の構成において、上側長尺材を見切り材５９の裏面まで延出させて形成し、その上側長尺材に見切り材５９を取り付けるようにしてもよい。その場合、上側下地材４８を不具備とすることができる。
【００８３】
・上記実施形態では、床大梁２３が溝部２３ｄを部屋１５側に向けて配設されていたが、床大梁２３が溝部２３ｄを部屋１５とは反対側に向けて配設されている場合、すなわちウェブ２３ａを部屋１５側に向けて配設されている場合も考えられる。このような場合には、上側下地材４８及び下側下地材４９をウェブ２３ａに取り付けるようにすればよい。この場合、床大梁２３に設けられた当該ウェブ２３ａが第１取付部及び第２取付部に相当する。
【００８４】
・上記実施形態では、内側壁面材４１と土間床１１との間を見切り材５９（第１見切り材）と下側下地材４９（第２見切り材）とにより覆うようにしたが、これに代えて又は加えて、外側壁面材３３と土間床１１との間を第１見切り材と第２見切り材とにより覆うようにしてもよい。この場合、建物１０外側にて壁下部分の見栄えが損なわれるのを抑制することができる。
【００８５】
・上記実施形態では、詰所として利用される建物１０に本発明を適用したが、事務所や倉庫等、他の目的で利用される建物に本発明を適用してもよい。また、建物１０は必ずしも建屋内（ひいては屋内）に構築する必要はなく、屋外に構築してもよい。例えば、屋外において床部がコンクリートからなる作業場等に、本建物１０を構築することが考えられる。
【００８６】
・上記実施形態では、建物１０を３つの建物ユニット２０を用いて構築したが、建物１０を２つ又は４つ以上の建物ユニット２０を用いて構築してもよい。また、一の建物ユニット２０を用いて建物１０を構築してもよい。
【符号の説明】
【００８７】
１０…建物、１１…床部としての土間床、１１ａ…床面、２０…建物ユニット、２３…下梁としての床大梁、４１…壁面材としての内側壁面材、４２…壁フレームとしての内側壁フレーム、４５…取付部、第１取付部及び第２取付部としてのブラケット、４８…見切り下地材としての上側下地材、４９…第２見切り材としての下側下地材、４９ａ…対向板部としての取付板部、４９ｂ…横板部、５２…締結部材としてのボルト、５６…長孔としての孔部、５７…締結部材としてのボルト、５９…第１見切り材としての見切り材、６５…重なり部。
【図１】
2017145656.tif 000003
【図２】
2017145656.tif 000004
【図３】
2017145656.tif 000005
【図４】
2017145656.tif 000006
【図５】
2017145656.tif 000007
【図６】
2017145656.tif 000008